(57)【要約】【課題】本考案は、番号を付した札を収納及び取出すケースであって、複数に積層された番号札の最下段の番号札を１枚毎取出すことのできる番号札ケースを提供する。【解決手段】ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設け、積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設けたものである。よって、積層された最下段の前記番号札（１４）を１枚毎取出せることを特徴とする。【選択図】図３
0003128762.tif 000002
【実用新案登録請求の範囲】
【請求項１】
番号を付した札を収納及び取出すケースにおいて、ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設けたことを特徴とする番号札ケース。
【請求項２】
積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設け、積層された最下段の前記番号札（１４）を１枚毎取出すことのできる請求項１記載の番号札ケース。
【考案の詳細な説明】
【技術分野】
【０００１】  本考案は、番号を付した札を収納及び取出すケースであって、複数に積層された番号札の最下段の番号札を１枚毎取出すことのできる番号札ケースに関する。
【背景技術】
【０００２】  従来より、複数に積層された番号札の収納ケースは、箱状のものや棚状のものは一般に用いられている。又、番号札等の投入物を集納するケースにおいても、投入物を集納するガイド板等で投入物を収納する集札箱も公開されているが、これらは、投入物を集納するものである。収納と取出しが必要な場合は、開口部や取出口を設け投入物を取出している。特に最下段から番号札を１枚毎に取出す場合には、取出し作業や収納が煩雑であった。よって、複数に積層された最下段の番号札から１枚毎に取出す作業は容易にできない状態である。【０００３】  番号札等の投入物を集納するケースは、例えば、特開２００１−２２９４１５号の公報に記載されたものは、切符や金券あるいは現金等の投入物を投入口から故意に取出すことを防止する盗難防止構造であるが、投入口から投入物を収集箱に集めるための傾斜したガイド板を備え、前記ガイド板は投入口の投影面を覆うようになっているものである。よって、投入したものを取出す構造にはなく、傾斜したガイド板によって投入物を搬送し集納することと、投入口の投影面を覆う構成となっている。【０００４】
【特許文献１】  特開２００１−２２９４１５号
【考案の開示】
【考案が解決しようとする課題】
【０００５】  背景技術で述べたように、番号札等の投入物を取出すために開口部や取出口を設けたのみであれば、特に最下段から番号札を１枚毎に取出す場合には、取出し作業や収納が煩雑である。複数に積層された最下段の番号札を１枚毎に取出す作業は容易にできない状態であり、実施者にとっては、欠くことのできない対応として必要とされている。そこで本考案はかかる従来の課題の解消を図るために開発されたものであり、ケース本体の架台の上部に番号札搬送傾斜部を有する番号札受板を設け、番号札搬送ストッパーによって、積層された最下段の番号札を容易に番号札取出口より取出すことができる番号札ケースを考案したものである。
【課題を解決するための手段】
【０００６】  上記目的を達成するために、本考案における番号札ケースは、次のような構成である。
ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設け、積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設け、積層された最下段の前記番号札（１４）を１枚毎取出すことを特徴とする番号札ケースとする。
【考案の効果】
【０００７】  以上、述べたように本考案の番号札ケースは、上記のとおり構成されているので、次に記載する効果を奏する。
本考案は、複雑な装置や動力を用いないで、番号札受板（４）の番号札搬送傾斜部（５）によって、積層された番号札（１４）の自重により最下段の番号札（１４）が前面に押し出され、最下段の上段の前記番号札（１４）を番号札搬送ストッパー（１１ａ）（１１ｂ）で止め、最下段の前記番号札（１４）のみ確実に取出せ、さらに、最下段の前記番号札（１４）を取出すと次の前記番号札（１４）が前面に押し出されるため、前記番号札（１４）を取出す実施者が変わっても容易に最下段の前記番号札（１４）を取出すことが可能となる。
予め決めた番号札（１４）を積層準備すると、銀行や郵便局等の受付順番を特定することができ、受付業務の遂行を円滑にすることができる。又、順番を特定するための番号札（１４）をケースに収納したまま実施可能なため、最下段の前記番号札（１４）を確実に取出すこと併せ収納が容易にでき、上記と同様に受付順番の業務の遂行を円滑にすることができる。
【考案を実施するための最良の形態】
【０００８】  以下本考案の実施するための最良の形態について説明する。
番号を付した札を収納及び取出すケースにおいて、ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設けたものである。【０００９】  積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設けたものである。よって、積層された最下段の前記番号札（１４）を１枚毎取出せるものである。
【実施例】
【００１０】  以下、図面を参照しながら、この考案の一実施例を説明する。本考案の図１は、請求項１に関するものである。図１に示すように、ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設けたものであってケースの形状を示している。【００１１】  本考案の図２は、請求項２に関するものである。図２に示すように、積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設け、積層された最下段の前記番号札（１４）を１枚毎取出せる状態を示している。【００１２】  本考案の図３は、この考案の一実施例を示すもので、請求項１乃至請求項２に関するものである。ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設け、積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設け、積層された最下段の前記番号札（１４）を１枚毎取出せる状態を示している。【００１３】  ケース本体（１）の上部の番号札投入口（３）より予め特定した複数の番号札（１４）を投入し、積層された前記番号札（１４）の最下段の前記番号札（１４）は、前記番号札受板（４）に設けられた番号札搬送傾斜部（５）によって、積層された前記番号札（１４）の自重で、番号札取出口（６）に搬送される。搬送された前記番号札（１４）の上段の番号札（１４）は、番号札搬送ストッパー（１１ａ）（１１ｂ）によって、番号札取出口（６）の前面に搬送されないため、最下段の前記番号札（１４）のみ番号札取出口（６）の前面に搬送される。実施者は、番号札取出口（６）の前面に搬送された最下段の前記番号札（１４）を指で摘んで引き抜くだけで取出が可能である。【００１４】  本考案の図４は、この考案の一実施例を示すもので、請求項１乃至請求項２に関するものである。ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設け、積層された最下段の番号札（１４）を取出すための前記番号札取出口（６）の上部に上開口部（１２）と下部に下開口部（１３）を設け、最下段の前記番号札（１４）の上段の番号札（１４）を取出さないための番号札搬送ストッパー（１１ａ）（１１ｂ）を設け、積層された最下段の前記番号札（１４）を１枚毎取出した状態を示している。【００１５】  ケース本体（１）の上部の番号札投入口（３）より予め特定した複数の番号札（１４）を投入し、番号札受板（４）積層される。積層された番号札（１４）の最下段の前記番号札（１４）は、前記番号札受板（４）に設けられた番号札搬送傾斜部（５）によって、積層された前記番号札（１４）の自重で、番号札取出口（６）に搬送される。搬送された前記番号札（１４）の上段の番号札（１４）は、番号札搬送ストッパー（１１ａ）（１１ｂ）によって、番号札取出口（６）の前面に搬送されないため、最下段の前記番号札（１４）番号札のみ番号札取出口（６）の前面に搬送される。最下段の前記番号札（１４）番号札を取出すと、さらに次の最下段の番号札（１４）番号札のみ番号札取出口（６）の前面に搬送される。実施者が変わっても同様に、番号札取出口（６）の前面に搬送された最下段の前記番号札（１４）を指で摘んで引き抜くだけで取出が可能である。【００１６】  以上の本実施例から本考案は、ケース本体（１）の下部に架台（２）を設け、前記ケース本体（１）の上部に番号札投入口（３）を設け、前記架台（２）の上部に番号札搬送傾斜部（５）を有する番号札受板（４）を設け、前記番号札受板（４）の前面に番号札取出口（６）を設けたことにより、最下段の番号札（１４）が前記番号札搬送傾斜部（５）によって、積層された番号札（１４）の自重で前面に押し出され、番号札搬送ストッパー（１１ａ）（１１ｂ）で、最下段の前記番号札（１４）を確実に取出すことが可能となる。さらに、最下段の前記番号札（１４）を取出すと次の番号札（１４）が前面に押し出され、実施者が変わっても容易に最下段の前記番号札（１４）を取出すことが可能となり、銀行や郵便局等の受付順番を特定することができ、受付業務の遂行を円滑にすることができる。又、順番を特定するための番号札（１４）をケースに収納したまま実施可能なため、最下段の前記番号札（１４）を確実に取出すこと併せ収納が容易にでき、上記と同様に受付業務の遂行を円滑にすることができる。
【産業上の利用可能性】
【００１７】  本考案は、誰もが簡便に最下段の番号札（１４）を確実に取出すことが実施可能なため、設置やランニングコストが軽減され、銀行や郵便局等の受付順番を特定する受付業務の遂行を円滑にすることができ、産業上の利用可能性がある。
【図面の簡単な説明】
【００１８】
【図１】本考案を示す参考斜視図である。
【図２】本考案の番号札取出口（６）を示す拡大部分正面図である。
【図３】本考案の実施状態を示す参考斜視図である。
【図４】本考案の実施状態を示す参考断面の側面図である。
【符号の説明】
【００１９】１  ケース本体
２  架台
３  番号札投入口
４  番号札受板
５  番号札搬送傾斜部
６  番号札取出口
１１ａ  番号札搬送ストッパー
１１ｂ  番号札搬送ストッパー
１２  上開口部
１３  下開口部
１４  番号札
【図１】
0003128762.tif 000003
【図２】
0003128762.tif 000004
【図３】
0003128762.tif 000005
【図４】
0003128762.tif 000006